(57)【要約】【課題】本発明は、ポスターなど掲示物を簡易操作で差し替えができ、雨天時の掲示パネル内部に侵入する水分や湿気を防ぎ、それらによる掲示物のシワの発生や、インクの滲みを防止した完全防水を実現し、掲示物の種類も紙質や印刷インクの種類による影響を受けず、湿気を嫌う写真の印画紙なども長期間に渡り屋外に掲示でき、厚さのある掲示物でも掲示できる防水型の掲示パネルとして利用できる、汎用型パネルの防水構造を提供することを課題とする。【解決手段】平板状のプレートの周辺部に弾性体を設け、前記弾性体を間に介して、もう１枚の平板状のプレートを貼り合わせ、弾性体を圧縮した状態で２枚のプレートの外周部に枠を装着することで、弾性体の復元力によりプレートと弾性体が密着し、防水効果が働くことを特徴とする掲示パネルの防水構造である。【選択図】図１
2015161697.tif 000002
【特許請求の範囲】
【請求項１】
平板状のプレートの周辺部に弾性体を設け、前記弾性体を間に介して、もう１枚の平板状のプレートを重ね合わせ、弾性体を圧縮した状態で２枚のプレートの外周部に枠を装着し、枠の溝深さを弾性体が枠の中に隠れる程度の深さとすることで、プレートの膨らみを防止すると共に、弾性体の復元力によりプレートと弾性体が密着し、防水効果が働くことを特徴とする掲示パネルの防水構造。
【発明の詳細な説明】
【技術分野】
【０００１】
本発明は、普通紙の広告等を掲示する掲示パネルの防水構造に関する。
【背景技術】
【０００２】
従来、屋外用ポスターなどに普通紙を用いた場合には風雨など自然環境による劣化が発生し、水性インクで印刷したポスターは、インクが滲んでしまうなどの不具合がある。これらを防止するためには、例えば２枚の透明樹脂パネルの内、１枚のパネルに凹状の溝を加工しその溝へパッキンを入れ、パッキンの周りにネジ穴を加工し、掲示物を挟み込むように、２枚の樹脂パネルをボルトで締め付けることで防水対策を施すなどしていたが、掲示物の交換時にはボルトを外して締め直さなければならない等の作業性に課題がある。また、大きいパネルを使用する際には、ボルトの数も増え更に作業性が悪化する。
【０００３】
また掲示物自体に、劣化防止のため掲示物全面に、ラミネート加工を施した場合は、防水面では有効な効果があるが、加工の手間と大きい掲示物の場合は加工費用が膨大になるなどの欠点がある。掲示物全体を透明ビニール袋に収納する方法なども提案されているが、大きい掲示物ほど袋のコストが大きくなることや、隙間や緩みがあると湿気によりインクが滲んでしまい、ビニールの袋の歪みにより、掲示物の画像や文字が歪んでしまうなどの課題がある。  
【０００４】
実開昭５７−４７９７３号には、透明板の周辺部に弾性体を設け、弾性体からなる防水片を介してもう一枚の板を重ね合わせ、圧着の働きをする枠で透明板と板の周囲をおしつけて固定することによって防水性を持たせた額が記載されているが、図２に示される弾性体３は薄く構成されており、圧着の働きをする枠により、その圧着力にて弾性体を挟持し防水効果を得るものですが、本願の弾性体の反発力を利用点で技術的にも、防水効果の面でも相違する。
【０００５】
実用新案登録第３００８８５１号には、透明な樹脂板の片側に、凹状のパッキン溝とネジ穴及び鎖取り付け穴を設け、同材質、同形状の樹脂板には凹状のパッキン溝は設けず、前記螺子穴と同位置に段付穴及び鎖用穴を設け、これら樹脂板の間に銘板に必要な事項を印字した用紙と、パッキン溝に嵌め込まれたパッキンを介して、小ネジで固定する技術が開示されているが、用紙の交換作業にネジを外し締め直さなければならない等の作業性に課題がある。また、大きいパネルを使用する際には、ネジの数も増え更に作業性が悪化する。
【０００６】
特開平１１−１６１２１０号では、縦横フレームの枠組みの中に、展示物を挟む透明板とマットとが納められ、各フレームにはその納めを保持する嵌着溝が設けられた展示フレームで、透明板の周囲に、裏面に突出する防水片を一体に設け、防水片に囲まれた中に展示物と共にマットが納める防水構造であり、本願のように弾性体の反発力を枠が受け止め防水効果を発揮する技術的とは相違する。
【先行技術文献】
【特許文献】
【０００７】
【特許文献１】実開昭５７−４７９７３号（請求の範囲、図２）
【特許文献２】実用新案登録第３００８８５１号
【特許文献３】特開平１１−１６１２１０号公報（要約、図１）
【発明の概要】
【発明が解決しようとする課題】
【０００８】
本発明は、ポスターなどの掲示物を簡易操作で差し替えができ、雨天時等の掲示パネル内部に侵入する水分や湿気を防ぐ完全防水を実現し、掲示物の紙質や印刷インクの種類による影響を受けず、掲示物のシワの発生や、インクの滲み、湿気を嫌う写真の印画紙なども長期間に渡り掲示でき、厚さのある掲示物でも掲示できる防水型の掲示パネルとして利用できる、汎用型パネルの防水構造を提供することを課題とする。
【課題を解決するための手段】
【０００９】
本発明の掲示パネルは、平板状のプレートの周辺部に弾性体を設け、前記弾性体を間に介して、もう１枚の平板状のプレートを重ね合わせ、弾性体を圧縮した状態で２枚のプレートの外周部に枠を装着することで、弾性体の復元力によりプレートと弾性体が密着し、防水効果が働くことを特徴とする掲示パネルの防水構造である。
【発明の効果】
【００１０】
本発明の防水掲示パネルの構造は、極めて簡易的であることから、組立・解体操作も容易でありながら、弾性体の反発力を利用しているためその密着性により防水性が確保され、掲示物の水分や湿気による劣化を防止でき、湿気を嫌う写真の印画紙や、水性インクで印刷した普通紙の掲示物など紙質を選ばず不具合を解消できる。このため屋外での掲示では特に防水効果を発揮する。
【００１１】
プレートと弾性体と枠で構成されるため、製作及び組立・解体も容易で、掲示物の交換作業が極めて容易に行え、掲示パネルの大きさや厚さを自由に設定でき汎用性がある。更に、両面に透過性のプレートを用いることで、両面視認の掲示も可能となることから、工業的にも商業的にも様々な用途の掲示パネルの防水構造として幅広い利用が期待出来る。
【００１２】
本発明の防水構造を用いた掲示パネルを、例えば２枚Ｌ型に結合して立体形を構成することや、４枚を十字型に結合するなど、複数のパネルで形状を表現することも可能である。掲示物の厚みも自由に設計可能であることから、掲示パネルの内部にＬＥＤ導光板を装着してＬＥＤ掲示パネルとして利用することも可能である。
【図面の簡単な説明】
【００１３】
【図１】防水構造に係る一例の全体構造を示す斜視図
【図２】その防水構造に係る一例の断面部の斜視図
【図３】防水構造に係る一例の構造説明を示す断面斜視図
【図４】防水構造に係る一例の掲示パネル全体の正面図
【図５】断面が略円形弾性体での一例の防水構造に係る要部平面図
【図６】断面が略円形弾性体での一例の防水状態に係る要部平面図
【図７】断面が略半円形弾性体での一例の防水構造に係る要部平面図
【図８】断面が略半円形弾性体での一例の防水状態に係る要部平面図
【図９】断面が中空弾性体での一例の防水構造に係る要部平面図
【図１０】断面が中空弾性体での一例の防水状態に係る要部平面図
【図１１】断面が矩形弾性体での一例の防水構造に係る要部平面図
【図１２】断面が矩形弾性体での一例の防水状態に係る要部平面図
【図１３】断面が薄い矩形弾性体での一例の防水構造に係る要部平面図
【図１４】断面が薄い矩形弾性体での一例の防水状態に係る要部平面図
【図１５】弾性体の位置が溝の中でなくとも可能である一例の防水構造に係る要部平面図
【図１６】弾性体の位置が溝の中でなくとも可能である一例の防水状態に係る要部平面図
【図１７】固定枠の溝底が大きく中空に加工されている場合の弾性体位置の一例の防水状態に係る要部平面図
【図１８】固定枠の溝底が大きく中空に加工されている場合の弾性体位置の一例の防水状態に係る要部平面図
【発明を実施するための形態】
【実施例１】
【００１４】
本発明の詳細について、図面を引用して説明する。図１は本発明における防水構造の一例を示すものである。本掲示パネルの防水構造は、平板状のプレート４と、もう１枚の平板状のプレート４aの間に弾性体を設けて重ね合わせるもので、弾性体はプレートの周辺部を囲うように取り付ける。弾性体を圧縮した状態で２枚のプレートの外周部に枠を装着する。弾性体の復元力がプレートと弾性体の密着性を保ち、防水効果を得るものであり、同時に枠も外れ難くする構造となる。掲示物はプレートの間に入れておく。
【００１５】
弾性体はプレートの周辺部を囲うように取り付けるが、弾性体に繋ぎ目があると水分や湿気等が侵入しやすくなるため、繋ぎ目のない一体形状が望ましいが、接着剤等で弾性体の端部を繋いでもよい。プレートへの取付けは、プレートの周辺部へ弾性体を配置してからもう1枚のプレートで挟持する。作業を容易化及び弾性体の位置ずれを防止するため、一方のプレートへ接着してもよい。この場合表側または裏側どちらのプレートに貼り付けてもよい。
【００１６】
プレートの材質は、掲示物を視認させたい面に透過性のある樹脂板かガラスなどを用いることが望ましいが、これに限定するものではない。また片面視認で１枚の透過性樹脂板かガラスを用いている場合、もう一方のプレートの材質については、水分や湿気が浸透しないもので、少なくとも弾性体２の表面が密着できる内面に平面均一性があるものであれば、樹脂板やガラス以外でも、例えば金属板や表面加工した木板などでもよい。図２は防水構造に係る一例の断面部の斜視図である。
【００１７】
図３は防水構造に係る一例の構造説明を示す断面斜視図である。ここで枠１の溝幅１ｂと、弾性体２と２枚のプレートで構成される厚みＢの寸法関係が本発明の特長であり、枠１の溝幅１ｂは、弾性体に圧力を加えない状態での、弾性体２と２枚のプレートで構成される厚みＢの寸法よりも小さくすることで、２枚のプレートで弾性体を圧縮しながら枠を挿入することとなり、弾性体の反発力を利用することができ、弾性体の復元力により密着が保持され、水分や湿気の侵入を防止するものである。また弾性体の反発力で押し広げられたプレートと枠１の溝幅１ｂ内面との摩擦力で枠１が簡単に外れるのを防いでいる。
【００１８】
前述の寸法関係は、弾性体の圧縮前の厚さ（直径）を例えば１０ｍｍ（１００％）とした場合に対し、約４ｍｍ（４０％）〜６ｍｍ（６０％）位に圧縮されることが望ましいが、この範囲に限定されるものではない。また、枠１のコの字型溝の溝深さ１ｃは、プレート外周部に枠１を挿入したときに、弾性体２が枠１の中に隠れる程度の深さにすることで、弾性体が枠内に隠れ、プレートの膨らみ防止などのパネルの美観を保つことができる。
【００１９】
枠の形状は、弾性体を挟んで２枚のプレート同士が貼り合されるように、固定できるものであればよく、断面形状としてコの字型が望ましいが、これに限定されない。枠のプレートへの挿入し易さ、あるいはプレートからの外し易さを考慮して、弾性体の硬度や厚さ、或いはプレートの厚み、枠の溝幅などを適宜調整する。また、枠のプレート挿入口あるいはプレート外周に面取り加工を施し、プレートの挿入をし易くすることもできる。枠１の材質は、耐水性で弾性体の反発力を保持できる強度があればよく、金属又は樹脂など材質に限定はされない。
【００２０】
弾性体の断面形状は略半円形が望ましいが、プレートに面接触あるいは線接触してシールできる形状であればよい。断面形状で円形、矩形、多角形及びそれらに中空を設けたものなどが利用できる。図１、２、３、７、８、は断面が略半円形の弾性体での一例を示す。また図９、１０、は断面が略半円形の中空弾性体での一例を示し、図５、６、１５、１６、１７、１８、は断面が略円形の弾性体での一例を示す。また図１１、１２、は断面が矩形の弾性体での一例を示し、図１３、１４、は断面が薄い矩形の弾性体での一例を示す。
【００２１】
弾性体は押し圧に対する反発力と長期間圧縮されても復元可能な材質のものを用いる。例えば、弾力性のある天然ゴム、合成ゴム、シリコーンゴム、ウレタンゴム、ゴムチューブなどから選択できる。
スポンジ材としてはＣＲゴムスポンジ、シリコーンゴムスポンジ、フッ素ゴムスポンジなどがある。ここでＣＲゴムスポンジ（クロロブレンゴム）やシリコーンゴムスポンジなどは、スポンジ特有の柔軟性とクッション性があり単独気泡スポンジであることと、押し出しスポンジ成型品特有の薄い皮膜に覆われていることで、水や空気を通しにくいシール性も持ち合わせている反面、長期圧縮により復元力が消失することが課題となり、シリコーンゴムスポンジにおいては多孔質のため湿気には弱いなどの欠点もある。
弾性体の選定において重要なことは、長期間圧縮されても復元可能であり、長期屋外掲示を想定したときに、耐候性の優れたものを選定することが望ましい。よって、弾性体は前述の材質に限定されるものではない。
【００２２】
弾性体の硬度は固定枠のコの字型溝に弾性体を圧縮しながら挿入することになるため弾性体には適度な硬度の材質が要求される。弾性体内部を中空にする、あるいはスポンジ材にすることで硬度の調整も可能である。実験によれば、最適な硬度は約１７〜３０位で圧縮率が  ４０〜６０％位が、枠を適度な力でスムーズに挿入することが可能であると同時に、枠から外れを防止し、弾性体の反発力によりプレートと弾性体の密着性が保たれる。なお、挿入し易さは弾性体の種類や厚さによっても異なり上記実験値に限定されるものではない。
【００２３】
前記値の範囲で、次のように寸法を設定した掲示パネルの実体にて水没による１０分間の耐圧試験をおこなった。弾性体の硬度を２５、弾性体の断面形状を矩形、弾性体の断面寸法を７×７ｍｍ、圧縮率を５７．１％（７ｍｍから４ｍｍに圧縮）、アクリル製のプレート厚さ１．５ｍｍ、補強プレートをアルミ複合板で厚さ３ｍｍ、枠の溝幅を７ｍｍとして、掲示パネルの大きさを４４２ｍｍ×６１６ｍｍ（Ａ２サイズ）のもの２セットと、４４０ｍｍ×３２０ｍｍのサイズのもの１セットの合計３セットを、同時に水圧試験機に封入し０．１Ｍｐａから試験した結果、３枚とも０．２Ｍｐａ（約２ｋｇ／ｃｍ、水深換算２０ｍ）まで、水の侵入は確認されなかった。次に０．５Ｍｐａ（約５ｋｇ／ｃｍ、水深換算５０ｍ）で行った結果、４４０ｍｍ×３２０ｍｍのサイズのもの1セットは水の侵入は確認されず、４４２ｍｍ×６１６ｍｍ（Ａ２サイズ）のもの２セットにおいては、角部近辺において、長さ方向に計約３００ｍｍ、幅１０ｍｍにわたって僅かに滲みが発生した。この結果により、水圧に対しても十分な耐久性があることを実証することができた。
【００２４】
接着剤の種類は無溶剤系弾性接着剤のアクリル樹脂系接着剤や、変性シリコーン系弾性接着剤、クロロブレンゴム系、ニトリルゴム系など弾性系の接着剤が望ましい。また硬化速度の早いシアノアクリレート系瞬間接着剤も弾性系があり作業条件と硬化速度などから、適宜選択することが望ましい。また接着剤の代わりに両面テープも使用可能であるがアクリル系粘着剤を使用した両面テープには水分が粘着剤中を分子移動してしまうため印画紙の掲示には問題が残るものもあり、両面テープの種類ごとにその性質も多義に渡るため、様々な種類の接着剤や両面テープがある中で、それぞれの掲示パネルの使用条件に合った材質のものを選定することが望ましい。
【００２５】
弾性体を挟んだ２枚のプレートの外周を、枠に挿入する方法は極めて容易で、例えば机などの平らな上に立てて揃え、左側から挿入する方法で説明すれば、初めに弾性体を挟んだ２枚のプレートの、上部左端の厚み方向を左手の親指と人差し指で固定枠のコの字型溝に入るまで押しつぶし、右手で枠の左端を持ち、枠の左端から２枚のプレートを挿入し、その後左側から枠の溝深さの約１／４〜１／３挿入された位置から順次下に押し下げてゆけば、容易に弾性体を圧縮しながら挿入できる。１辺を挿入すると次の辺の端部は既に弾性体が圧縮されているため、押し潰す必要がなく、３辺共、左端を挿入後、左側から順次押し下げれば全周容易に装着できてしまう。これ以外にも大型の掲示パネルの場合などは、机などの上に平に置くか、或いは机の端から掲示パネルの１辺を突き出させた状態で、２枚のプレートがずれないように押さえ、枠の端部の一箇所を挿入してパネル中心部に向かって順次挿入してゆけば容易に装着できる。例えば、Ｂ１サイズの一辺長さ１０３０ｍｍの場合、約４回〜５回押し下げれば１辺の装着ができ、残りの３辺を同様に繰り返すことで全周装着が完了する。枠はそのままでも容易に外れることはないため、壁などに立掛ける場合、そのまま設置可能である。吊り下げる場合やパネルを何かに固定する必要がある場合は、四隅の枠どうしをコーナー金具で固定し吊りかんを取り付ければよい。
【実施例２】
【００２６】
掲示パネルの強度を保つため、図２に示すように、掲示物と併せ補強プレート５を挿入するとよい。補強プレート５の材質は軽く丈夫な材質であればよく、樹脂、金属、木などが利用できる。
【産業上の利用可能性】
【００２７】
本発明の防水構造を用いた掲示パネルは、工業生産も可能であり、パネル内への雨水の侵入を完全に防止することが可能であることから、広告宣伝や店内外の表示用など利用範囲は広く、様々な業種での利用が可能である。
【符号の説明】
【００２８】
枠
１a.コの字型溝
１b.コの字型溝の溝巾
１c.コの字型溝の溝深さ
弾性体
接着剤
表面プレート
４a.裏面プレート
補強プレート
掲示物
B. 弾性体に圧力を加えない状態での、弾性体２と２枚のプレートで構成される厚み
【図１】
2015161697.tif 000003
【図２】
2015161697.tif 000004
【図３】
2015161697.tif 000005
【図４】
2015161697.tif 000006
【図５】
2015161697.tif 000007
【図６】
2015161697.tif 000008
【図７】
2015161697.tif 000009
【図８】
2015161697.tif 000010
【図９】
2015161697.tif 000011
【図１０】
2015161697.tif 000012
【図１１】
2015161697.tif 000013
【図１２】
2015161697.tif 000014
【図１３】
2015161697.tif 000015
【図１４】
2015161697.tif 000016
【図１５】
2015161697.tif 000017
【図１６】
2015161697.tif 000018
【図１７】
2015161697.tif 000019
【図１８】
2015161697.tif 000020